(57)【特許請求の範囲】
【請求項１】
外線及びボタン電話機を収容する主装置と、前記主装置に接続される第１の携帯端末とからなるボタン電話装置と、前記外線及び第１の携帯端末の少なくとも一方を介して前記ボタン電話装置と接続される第２の携帯端末とからなり、前記主装置はボタン電話機の発信操作に基づき前記第１の携帯端末及び外線の何れか一方の経路を介して第２の携帯端末に発信しメッセージを送信するボタン電話システムにおいて、
前記第１の携帯端末は、前記第２の携帯端末の接続業者を示すキャリアに応じて複数設けられ、
前記主装置は、前記第２の携帯端末にメッセージを送信する場合はこの第２の携帯端末のキャリアと同一キャリアの第１の携帯端末を選択して発信することを特徴とするボタン電話システム。
【請求項２】
請求項１において、
前記主装置は、
前記メッセージが登録される第１のエリア及び前記第２の携帯端末の電話番号と第２の携帯端末のキャリアとが関連づけて登録される第２のエリアを有するとともに、複数の第１の携帯端末に対応する各キャリアが登録されるメモリと、
前記ボタン電話機が第２のエリアに登録された第２の携帯端末の電話番号の発信操作を行うと、複数の第１の携帯端末のうち前記第２の携帯端末の電話番号に対応して登録されているキャリアと接続が可能なキャリアの端末の空きを検出する検出手段と、
前記検出手段の空き検出の有無に応じた経路を介し前記第２の携帯端末に発信するとともに前記メモリの第１のエリアのメッセージを送信する発信手段と
を備えたことを特徴とするボタン電話システム。
【請求項３】
請求項２において、
前記検出手段が第１の携帯端末の空きを検出すると、前記キャリアが第１のキャリアの場合は前記発信手段は空きが検出された第１の携帯端末を介し第１のキャリアの第１のアクセス番号を発信した後前記第２の携帯端末の電話番号を発信することを特徴とするボタン電話システム。
【請求項４】
請求項１において、
前記主装置は、第２の携帯端末に発信しメッセージを送信したときに前記経路と前記発信操作に基づく第２の携帯端末の電話番号と前記発信操作を行ったボタン電話機の識別番号とを関連づけて発信履歴情報として登録すると共に、第２の携帯端末からのメッセージを受信したときには前記発信履歴情報に基づき該当のボタン電話機に受信メッセージを送信することを特徴とするボタン電話システム。
【請求項５】
請求項４において、
前記主装置は、
第２の携帯端末に発信しメッセージを送信したときには、前記発信履歴情報の前記経路として前記メッセージを送信した第１の携帯端末または外線の番号を登録し、
前記第２の携帯端末から送信されるメッセージを受信するメッセージ受信手段と、
メッセージ受信手段が第２の携帯端末の送信メッセージを受信するとこのメッセージの受信経路に対応する前記経路の発信履歴情報に基づき該当のボタン電話機にメッセージを送信するメッセージ送信手段と
を備えたことを特徴とするボタン電話システム。
【発明の詳細な説明】
【０００１】
【発明の属する技術分野】
本発明は、外線及び複数のボタン電話機を収容するボタン電話システムに関する。
【０００２】
【従来の技術】
この種のボタン電話システムは、ボタン電話機側の操作により外線を介して外部のＰＨＳ電話機や携帯電話機等の携帯端末宛に発信してその携帯端末と通話を行うことが可能である。
また、近年は携帯端末に発信してその携帯端末にメッセージを送出し携帯端末の表示器に表示させるようなサービスも行われている。
【０００３】
こうしたメッセージの伝達を行う場合、通常、ボタン電話システムの主装置のメモリに、予め伝達すべきメッセージと相手携帯端末の電話番号とを登録し、メッセージを送信する場合は、まず外線を選択したのち、前記メッセージを相手携帯端末側に配信するセンタの番号を発信し、続いてメモリに登録した相手携帯端末の電話番号，メッセージの順に発信するようにしている。
【０００４】
また、近年は、ボタン電話システムの主装置にＰＨＳ電話機や携帯電話機等の携帯端末を収容すると共に、収容した携帯端末を介してセンタの番号，相手携帯端末の電話番号，メッセージの順に発信し、相手携帯端末にメッセージを送信するようなことも行われている。
【０００５】
【発明が解決しようとする課題】
しかし、相手携帯端末にメッセージを送信するときに、外線（有線回線）を介して発信する場合と、主装置内の携帯端末（無線回線）を介して発信する場合とで発信側のキャリア（接続業者）と受信側（即ち、相手携帯端末側）のキャリアとが同一か否かで発信操作が異なり、したがってメッセージを送信するときには発信回線に応じて操作を変えなければならず、操作が面倒であるとともに誤操作を招くという問題があった。
【０００６】
また、相手携帯端末にメッセージを送信するときに、主装置内の携帯端末を介して発信する場合も同様に、メッセージを送信する主装置側の携帯端末のキャリアと相手携帯端末側のキャリアとが同一か否かで発信操作が異なり、したがってこの場合も主装置側携帯端末のキャリアと相手携帯端末のキャリアとが同一か否かに応じて発信操作を変える必要があり、同様に誤操作を招くという問題があった。
したがって本発明は、異なるキャリアの各携帯端末に発信してメッセージを送信する場合、発信時の誤操作を防止しメッセージを的確に相手携帯端末へ伝達することを目的とする。
【０００７】
【課題を解決するための手段】
このような課題を解決するために本発明のボタン電話システムは、第２の携帯端末にメッセージを送信する場合、主装置に接続される第１の携帯端末を、メッセージを受信する第２の携帯端末のキャリアに応じて複数設け、主装置は、第２の携帯端末のキャリアと同一のキャリアの第１の携帯端末を選択して発信する。
この場合、メッセージが登録される第１のエリア及び第２の携帯端末の電話番号と第２の携帯端末のキャリアとが関連づけて登録される第２のエリアを有するメモリを主装置に備え、ボタン電話機がメモリに登録された第２の携帯端末の番号の発信操作を行うと、検出手段は複数の第１の携帯端末のうち第２の携帯端末のキャリアと同一キャリアの端末の空きを検出し、検出手段の空き検出の有無に応じた経路を介し第２の携帯端末へ発信するとともにメモリのメッセージを送信する。
ここで、検出手段により第１の携帯端末の空きが検出されると、この第１の携帯端末のキャリアが第１のキャリアの場合は空きが検出された第１の携帯端末を介し第１のキャリアの第１のアクセス番号を発信した後第２の携帯端末の電話番号を発信する。
【０００８】
また、第２の携帯端末に発信しメッセージを送信したときに発信操作に基づく第２の携帯端末の電話番号と発信操作を行ったボタン電話機の識別番号とを関連づけて発信履歴情報として登録すると共に、第２の携帯端末からのメッセージ受信時に第２の携帯端末の電話番号を示す発信者番号を検出するとこの発信者番号が発信履歴情報に含まれている場合は対応の電話機に前記受信メッセージを送信する。
また、第２の携帯端末の送信メッセージを受信するとこの送信メッセージを蓄積してメッセージ受信通知を行うメッセージセンタを備え、メッセージ受信通知の受信時に発信者番号が発信履歴情報に含まれている場合はこの発信履歴情報に対応するボタン電話機に送信メッセージの受信を通知すると共に、メッセージセンタに発信してメッセージセンタの蓄積メッセージをボタン電話機に送信する。
【０００９】
【発明の実施の形態】
以下、本発明の実施の形態を図面を参照して説明する。
図２は本発明に係るボタン電話システムの概略の構成を示す図であり、このボタン電話システムは、ボタン電話装置１と、ボタン電話装置１と複数の有線電話回線（以下、外線）Ｌｍを介して接続される交換機５０と、ボタン電話装置１と無線回線を介して接続される基地局６１と、ボタン電話装置１側から送信されるメッセージを受信する外部携帯端末７０（第２の携帯端末）と、外部携帯端末７０と無線接続される基地局６２と、各基地局６１及び６２を収容するとともにメッセージセンタ６３を備えた交換機６０とから構成される。
【００１０】
ボタン電話装置１には、音声及びデータのデジタル通信が可能なデジタル内線インタフェース（以下、内線インタフェース）２Ａを有する主装置２が設けられ、主装置２には内線インタフェース２Ａを介して各ボタン電話機３Ａ，３Ｂ，３Ｃ，・・・及びインタフェースボックス４が接続される。
また、インタフェースボックス４には複数の内部携帯端末５Ａ，５Ｂ，５Ｃ，５Ｄ，・・・（第１の携帯端末）が接続され、各内部携帯端末は交換機６０に接続された基地局６１と無線接続が可能になっている。
【００１１】
図１はボタン電話装置１の要部構成を示すブロック図である。
図１において、ボタン電話装置１の主装置２には、上述した内線インタフェース２Ａの他に、ＩＳＤＮ回線である外線Ｌｍを介し交換機５０との間で音声及びデータのデジタル通信を行うデジタル外線インタフェース（以下、外線インタフェース）２Ｂ、及び通話路スイッチであるスイッチ２Ｃが設けられていると共に、主装置２の全制御を行う制御部２Ｄ、相手電話番号やメッセージなどが登録されるメモリ２Ｅが設けられている。
【００１２】
また、主装置２に接続されるインタフェースボックス４には、伝送回路４１と、内部携帯端末５Ａ，５Ｂ，・・・，５Ｎにそれぞれ接続され音声及びデータの通信が可能な携帯端末インタフェース４２Ａ，４２Ｂ，・・・，４２Ｎと、制御部４４と、メモリ４５と、以上の各部に電源を供給する電源部４６とが設けられている。
ここで、前記伝送回路４１は、音声及びデータのデジタル通信が可能な主装置１の内線インタフェース２Ａと接続され音声及びデータをデジタル伝送するものである。
【００１３】
また、制御部４４は、伝送回路４１を介し主装置１側からの制御データを受信すると、この制御データを携帯端末インタフェース４２Ａ，４２Ｂ，・・・，４２Ｎを介し内部携帯端末５Ａ，５Ｂ，・・・，５Ｎ側へ送信するとともに、携帯端末インタフェース４２Ａ，４２Ｂ，・・・，４２Ｎを介して内部携帯端末５Ａ，５Ｂ，・・・，５Ｎからの制御データを入力するとこの制御データを伝送回路４１を介し主装置２へ送信する。
【００１４】
さて以上のように構成されたボタン電話装置１では、外線Ｌｍを介し外部携帯端末７０に発呼することにより外部携帯端末７０と通話が可能である。また、外部携帯端末７０に対しメッセージを送信して外部携帯端末７０の表示器に表示させることもできる。この場合、ボタン電話装置１のボタン電話機３と外部携帯端末７０との間は、図２に示すように、主装置２，外線Ｌｍ，交換機５０，交換機６０，基地局６２の経路で接続される。
【００１５】
また、ボタン電話装置１はインタフェースボックス４内の何れかの内部携帯端末５を介して外部携帯端末７０に発呼することにより外部携帯端末７０にメッセージを送信してその表示器上に表示させることができる。この場合、ボタン電話装置１のボタン電話機３と外部携帯端末７０との間は、図２に示すように、主装置２，インタフェースボックス４，内部携帯端末５，基地局６１，交換機６０，基地局６２の経路で接続される。
【００１６】
ところで、ボタン電話機３から外部携帯端末７０に発信しメッセージを送信する場合、その発信方法は外部携帯端末７０のキャリア（接続業者）に応じてそれぞれ異なっている。
ここで、外部携帯端末７０のキャリアがキャリアＡ（第１のキャリア）の場合、その外部携帯端末７０に対し同一キャリアの内部携帯端末５から発信するときには、４桁のダイヤル「ａａａａ」をアクセス番号（第１のアクセス番号）として発信した後、外部携帯端末７０の電話番号を発信し、続いてメッセージを入力して送信し、最後に２桁のダイヤル「ＸＸ」を発信する。また、外部携帯端末７０に対し異なるキャリアの内部携帯端末５または外線から発信するときには、まず３桁のダイヤル「０９０」を発信し、続いて３桁のダイヤル「ｂｂｂ」を発信した後、上述の４桁のダイヤル「ａａａａ」を発信する。こうしたキャリアＡのアクセス番号の発信後、外部携帯端末７０の電話番号を発信し、続いてメッセージを入力して送信し、最後に２桁のダイヤル「ＸＸ」を発信する。
【００１７】
次に、外部携帯端末７０のキャリアがキャリアＢ（第４のキャリア）の場合、その外部携帯端末７０に対し同一キャリアの内部携帯端末５から発信するときには、まずメッセージを入力し、その後、その携帯端末７０の電話番号を発信し、続いて入力したメッセージを送信する。なお、外部携帯端末７０に対し異なるキャリアの内部携帯端末５または外線からはメッセージを送信することができない。
【００１８】
次に、外部携帯端末７０のキャリアがキャリアＣ（第２のキャリア）の場合、その外部携帯端末７０に対し同一キャリアの内部携帯端末５から発信するときには、まずメッセージを入力し、その後、外部携帯端末７０の電話番号を発信し、続いて入力したメッセージを送信する。また、外部携帯端末７０に対し異なるキャリアの内部携帯端末５または外線から発信するときには、まず３桁のダイヤル「０９０」を発信し、続いて４桁のダイヤル「ｃｃｃｃ」を発信した後、さらに４桁のダイヤル「ｄｄｄｄ」を発信する。こうしたキャリアＣのアクセス番号の発信後、その外部携帯端末７０の電話番号を発信し、続いてメッセージを入力して送信する。
【００１９】
次に、外部携帯端末７０のキャリアがキャリアＤ（第３のキャリア）の場合、その外部携帯端末７０に対し同一キャリアの内部携帯端末５から発信するときには、まずメッセージを入力し、その後、外部携帯端末７０の電話番号を発信し、続いて入力したメッセージを送信する。また、外部携帯端末７０に対し異なるキャリアの内部携帯端末５または外線から発信するときには、まず３桁のダイヤル「０９０」を発信し、続いて４桁のダイヤル「ｅｅｅｅ」を発信した後、さらに４桁のダイヤル「ｆｆｆｆ」を発信する。こうしたキャリアＤのアクセス番号の発信後、外部携帯端末７０の電話番号を発信し、続いてメッセージを入力して送信する。
【００２０】
このように外部携帯端末７０のキャリアに応じて発信方法が異なるため、図２のインタフェースボックス４内の各内部携帯端末５Ａ，５Ｂ，５Ｃ，５Ｄをそれぞれ発信対象の外部携帯端末７０の各キャリアＡ，Ｂ，Ｃ，Ｄに応じた携帯端末として設け、かつ各内部携帯端末５Ａ，５Ｂ，５Ｃ，５Ｄに対応してそれぞれのキャリアの番号をボタン電話装置１のメモリ２Ｅに登録する。また、ボタン電話装置１のメモリ２Ｅの第１のエリアに外部携帯端末７０宛に送信するメッセージを登録すると共に、メモリ２Ｅの第２のエリアに、相手携帯端末（即ち、外部携帯端末７０）の電話番号とその電話番号と対に対応のキャリアの番号を登録する。そして、ボタン電話機３の相手携帯端末の発信時にはメモリ２Ｅにその相手携帯端末の電話番号に対応して登録されたその相手携帯端末のキャリアと同一のキャリアの内部携帯端末５から発信させるようにする。これにより、外部携帯端末７０への発信操作が大幅に簡略化され操作性が向上する。
【００２１】
なお、外部携帯端末７０のキャリアと同一キャリアの内部携帯端末５が具備されていない場合、或いは前記内部携帯端末５が使用中の場合は、他の内部携帯端末５または外線を介して外部携帯端末７０宛に発信する。そしてこの発信の際にはその外部携帯端末の番号と対に登録されているキャリア番号のキャリアに応じたダイヤル番号（アクセス番号）を、外部携帯端末の電話番号に自動的に付加して発信する。これにより、外部携帯端末７０への発信時の操作性がさらに向上する。
【００２２】
図３及び図４は、ボタン電話装置１内のボタン電話機３から外部携帯端末７０にメッセージを送信する際の主装置２の制御部２Ｄの動作を示すフローチャートである。このフローチャートにしたがって本発明の要部動作を説明する。
主装置２のメモリ２Ｅの第１のエリアには上述したように、外部携帯端末７０宛に送信するメッセージが登録されている。また、メモリ２Ｅの第２のエリアには、各外部携帯端末の電話番号とその外部携帯端末に対応するキャリア番号とが対に登録されている。
【００２３】
外部携帯端末７０にメッセージを送信する場合は、まずボタン電話機３によりメモリ２Ｅの第１のエリア内のメッセージの選択操作が行われる。すると、制御部２ＤはステップＳ１でその選択操作に対応するメッセージを第１のエリアから読み出してメモリ２Ｅの別途エリアに記憶する。続いて、ボタン電話機３においてメモリ２Ｅの第２のエリア内の相手携帯端末（外部携帯端末７０）の電話番号を選択する短縮ダイヤル操作が行われると、制御部２ＤはステップＳ２でその短縮操作に応じた相手携帯端末の電話番号とその携帯端末のキャリア番号とをメモリ２Ｅの第２のエリアから読み出す。
【００２４】
そしてステップＳ３でボタン電話機３の発信操作が行われると、制御部２Ｄは、インタフェースボックス４内の各内部携帯端末５Ａ〜５Ｎのうちメモリ２Ｅから読み出したキャリア番号に相当するキャリアと同一キャリアの内部携帯端末５が存在するか否かをステップＳ４で判断する。ここで、同一キャリアの内部携帯端末５が存在する場合は、次にステップＳ５でその内部携帯端末５は空き状態か否かを判断する。
【００２５】
この場合、メモリ２Ｅのキャリアと同一のキャリアの内部携帯端末５が空き状態にあれば、次にその内部携帯端末５のキャリアはキャリアＡ（第１のキャリア）か否かをステップＳ６で判断し、キャリアＡの場合はキャリアＡに相当するダイヤル番号「ａａａａ」、メモリ２Ｅから読み出した「相手携帯端末の電話番号」、メモリ２Ｅから読み出した「メッセージ」、及びキャリアＡに相当するダイヤル番号「ＸＸ」とをステップＳ７で該当内部携帯端末５にセットする。続いて、ステップＳ８でキャリアＡの内部携帯端末５から無線信号としてセット順に発信させる。その後、制御部２ＤはステップＳ９でメモリ２Ｅに、メッセージを送信指示したボタン電話機３の識別番号、メッセージを送信した内部携帯端末５の識別番号、相手携帯端末の電話番号などを発信履歴情報としてセットし処理を終了する。
【００２６】
また、メモリ２Ｅのキャリアと同一のキャリアの内部携帯端末が空き状態にあったときに、その内部携帯端末のキャリアがキャリアＡでは無く、キャリアＢ〜Ｄの何れかのキャリアの場合にはステップＳ６の判定は「Ｎ」となる。この場合は、メモリ２Ｅから読み出した「メッセージ」と「相手携帯端末の電話番号」とをステップＳ１０で該当内部携帯端末５にセットする。続いて、ステップＳ８でその内部携帯端末５から相手携帯端末の電話番号を発信させると共に、メッセージを送信させる。その後、制御部２ＤはステップＳ９でメモリ２Ｅの第３のエリアに、メッセージ送信を指示したボタン電話機３の識別番号、メッセージを送信した内部携帯端末５の識別番号、相手携帯端末の電話番号などを同様に発信履歴情報としてセットし処理を終了する。
【００２７】
なお、メモリ２Ｅから相手携帯端末の電話番号とともに読み出したキャリア番号と同一のキャリアの内部携帯端末５が空き状態になければステップＳ５の判定は「Ｎ」となる。この場合、制御部２Ｄは内蔵の図示しないタイマ（空き待ちタイマ）が動作中か否かをステップＳ１１で判断し、動作中でなければそのタイマをステップＳ１２でスタートさせる。そして、そのタイマがタイムアップする前に該当の内部携帯端末５が空き状態になりステップＳ５の判定が「Ｙ」となると、制御部２ＤはステップＳ６以降の処理を同様に実行する。また、前記内部携帯端末５が使用中のまま前記タイマがタイムアップしステップＳ１３の判定が「Ｙ」となると、図４のステップＳ２１以降の処理に移行する。また、メモリ２Ｅから相手携帯端末の電話番号とともに読み出したキャリア番号と同一キャリアの内部携帯端末５がインタフェースボックス４に存在しない場合はステップＳ４の判定は「Ｎ」となる。この場合も、図４のステップＳ２１以降の処理に移行する。
【００２８】
図４の処理では、相手携帯端末のキャリアと異なるキャリアの内部携帯端末５または外線から相手携帯端末宛に発信し、メッセージを送信する処理を示すものである。
即ち、図４のステップＳ２１，ステップＳ２６及びステップＳ２８では、それぞれメモリ２Ｅから相手携帯端末の電話番号とともに読み出したキャリア番号に相当するキャリアがキャリアＡ、キャリアＢ、キャリアＣの何れかに該当するか否かを判断する。
ここで、相手携帯端末のキャリアがキャリアＡの場合はステップＳ２１の判定が「Ｙ」となり、この場合はステップＳ２２で、ダイヤル「０９０」、ダイヤル「ｂｂｂ」、ダイヤル「ａａａａ」を順にセットする。続いて、ステップＳ２３では、ステップＳ２２でセットされたダイヤル（即ち、キャリアＡのアクセス番号）と、相手携帯端末の電話番号と、メモリ２Ｅから読み出した対応のメッセージと、ダイヤル「ＸＸ」とをセットする。
【００２９】
そして、ステップＳ２４でキャリアＡと異なるキャリアの空き内部携帯端末５または外線からセット順に発信する。その後、ステップＳ２５でメモリ２Ｅの第３のエリアに、メッセージ送信を指示したボタン電話機３の識別番号、メッセージを送信した内部携帯端末５または外線の識別番号、相手携帯端末の電話番号などを発信履歴情報としてセットし処理を終了する。
【００３０】
また、相手携帯端末のキャリアがキャリアＢの場合はステップＳ２６の判定が「Ｙ」となる。この場合、同一キャリアＢの内部携帯端末５からしかメッセージは送信できず、したがって異なるキャリアの内部携帯端末または外線からはメッセージ送信が不可となるため、制御部２ＤはステップＳ２７でメッセージ送信のエラー処理を行ってボタン電話機３にエラー表示やエラートーンの送出などを行い、処理を終了する。
【００３１】
また、相手携帯端末のキャリアがキャリアＣの場合はステップＳ２８の判定が「Ｙ」となる。この場合はステップＳ２９で、ダイヤル「０９０」、ダイヤル「ｃｃｃｃ」、ダイヤル「ｄｄｄｄ」を順にセットする。続いて、ステップＳ３０では、ステップＳ２９でセットされたダイヤル（即ち、キャリアＣのアクセス番号）と、相手携帯端末の電話番号と、メモリ２Ｅから読み出した対応のメッセージとをセットする。
【００３２】
そしてステップＳ２４でキャリアＣと異なるキャリアの空き内部携帯端末５または外線からセット順に発信する。その後、ステップＳ２５でメモリ２Ｅの第３のエリアに、メッセージ送信を指示したボタン電話機３の識別番号、メッセージを送信した内部携帯端末５または外線の識別番号、相手携帯端末の電話番号などを発信履歴情報としてセットし処理を終了する。
【００３３】
また、相手携帯端末のキャリアがキャリアＤの場合はステップＳ２８の判定が「Ｎ」となる。この場合、制御部２ＤはステップＳ３１で相手携帯端末のキャリアはキャリアＤであると認識し、次いでステップＳ３２で、ダイヤル「０９０」、ダイヤル「ｅｅｅｅ」、ダイヤル「ｆｆｆｆ」を順にセットする。続いて、ステップＳ３０に移行し、ステップＳ３２でセットされたダイヤル（即ち、キャリアＤのアクセス番号）と、相手携帯端末の電話番号と、メモリ２Ｅから読み出した対応のメッセージとをセットする。
【００３４】
そしてステップＳ２４でキャリアＤとは異なるキャリアの空き内部携帯端末５または外線からセット順に発信する。その後、ステップＳ２５でメモリ２Ｅの第３のエリアに、メッセージ送信を指示したボタン電話機３の識別番号、メッセージを送信した内部携帯端末５または外線の識別番号、相手携帯端末の電話番号などを発信履歴情報としてセットし処理を終了する。
【００３５】
図５は、外部携帯端末７０から送信されるメッセージを受信するボタン電話装置１の動作を示すフローチャートである。
外部携帯端末７０はボタン電話装置１に発信してメッセージを送信することができる。即ち、外部携帯端末７０の利用者がボタン電話装置１宛に発信すると、その発信に基づく着信は、図２の基地局６２，交換機６０，基地局６１を経由してインタフェースボックス４内の何れかの内部携帯端末５において受信され、主装置２に報知される。また、外部携帯端末７０がインタフェースボックス４の電波圏内にあればその発信に基づく着信は同様にインタフェースボックス４内の何れかの内部携帯端末５において直接受信され主装置２に報知される。
なお、外部携帯端末７０の発信に基づく着信は、図２の基地局６２，交換機６０，交換機５０，外線Ｌｍを介してボタン電話装置１の主装置に到来し、主装置２で受信することもできる。
【００３６】
この場合、主装置２の制御部２Ｄは、その外部携帯端末７０からの着信に応答し、続いて外部携帯端末７０から送信されるメッセージの受信処理をステップＳ４１で実行する。ここで、外部携帯端末７０からの送信メッセージを受信すると、ステップＳ４２の「メッセージ受信通知？」の「Ｎ」に応じてステップＳ４５以降の処理に移行する。
ところで、外部携帯端末７０のキャリアには、その外部携帯端末７０の送信メッセージを直接相手端末宛に送信するキャリアと、その送信メッセージを図２に示す交換機６０内のメッセージセンタ６３に蓄積しメッセージ受信通知情報のみを相手端末宛に送信するようなキャリアとがある。
【００３７】
この場合、制御部２ＤはステップＳ４２でそのメッセージ受信通知情報の有無を判断し、メッセージ受信通知情報のみを受信しステップＳ４２の判定が「Ｙ」となるときには、ステップＳ４３で受信キャリア（即ち、外部携帯端末７０のキャリア）のメッセージセンタ６３に対し、そのメッセージ受信通知を受信した内部携帯端末５または外線を介して発信する。
そして内部携帯端末５または外線からの発信に基づく着信にメッセージセンタ６３が応答すると、制御部２ＤはステップＳ４４で、メッセージセンタ６３に蓄積されている外部携帯端末７０のメッセージを内部携帯端末５または外線を介して受信するメッセージ受信処理を行う。
【００３８】
こうして外部携帯端末７０からの送信メッセージを受信すると、ステップＳ４５以降の処理ではその送信メッセージをどのボタン電話機３に配信するかの判定処理を行う。
ここで、メッセージの受信時にそのメッセージを送信した外部携帯端末７０の電話番号（即ち、発信者番号）が通知されステップＳ４５の判定が「Ｙ」となれば、メモリ２Ｅの第３のエリア中の、送信メッセージを受信した内部携帯端末５または外線に関する発信履歴情報の中から前記発信者番号を検索する処理をステップＳ４６で行う。
【００３９】
ここで、前記発信履歴情報の中から発信者番号が検索されステップＳ４７の判定が「Ｙ」となると、制御部２ＤはステップＳ４８でその発信履歴を有するボタン電話機３に外部携帯端末７０の送信メッセージを送信し表示部に表示させる。また、そのメッセージが音声メッセージの場合はボタン電話機３のスピーカから音声信号として送出させる。
このように、メッセージを受信した場合、その通知相手を発信履歴から判断するようにしたので、メッセージを所望の相手に的確に通知できる。
【００４０】
なお、メッセージ受信時に発信者番号が通知されずにステップＳ４５の判定が「Ｎ」となる場合、或いは発信者番号が通知されてもその発信者番号が発信履歴の中に存在せずステップＳ４７の判定が「Ｎ」となる場合は、制御部２Ｄはステップ４９で、そのメッセージを受信した内部携帯端末５または外線に対応して予め設定されているボタン電話機３に対し、外部携帯端末７０からの送信メッセージを送信し表示部等に表示させる。
【００４１】
ところで、メッセージをメッセージセンタ６３に蓄積しメッセージ受信通知情報のみがボタン電話装置１側に送信されるような場合に、発信者番号が通知されると、制御部２ＤはステップＳ４６の処理と同様に発信履歴の中から発信者番号を検索し、発信者番号が検索されるとその発信履歴を有するボタン電話機３にメッセージ受信通知情報を送信して表示させる。その後、メッセージセンタ６３に自動発信してメッセージセンタ６３の蓄積メッセージを受信し該当ボタン電話機３に送信する。
また、メッセージ受信時に発信者番号が通知されない場合は、ステップＳ４９の処理と同様に、そのメッセージを受信した内部携帯端末５または外線に対応して予め設定されているボタン電話機３に対し、メッセージ受信通知情報を送信して表示させる。そして、その後メッセージセンタ６３に自動発信してメッセージセンタ６３の蓄積メッセージを受信し該当ボタン電話機３に送信する。
なお、前記メッセージが音声の場合は内部携帯端末５に録音してからボタン電話機３側に通知することも可能である。
【００４２】
また、メッセージをメッセージセンタ６３に蓄積しメッセージ受信通知情報のみが送信されるような場合、制御部２Ｄはメッセージセンタ６３へ自動発信せずにボタン電話機３側で所定操作が行われたときにメッセージセンタに発信することもできる。この場合、該当ボタン電話機３には、メッセージが受信されていることを可聴（音声）または可視によりアナウンス表示し、メッセージセンタ６３に発信できるボタン電話機３はメッセージ受信がアナウンスされているボタン電話機のみで他のボタン電話機は発信不可となる。これにより、メッセージが第三者により不用意に受信されることを防止できる。
【００４３】
【発明の効果】
以上説明したように本発明によれば、第２の携帯端末にメッセージを送信する場合、主装置に接続される第１の携帯端末を介する経路及び主装置に接続される外線を介する経路のうち利用可能な経路を選択して発信するようにしたので、キャリアが異なる各携帯端末へ発信してメッセージを送信する場合に誤操作が防止され、メッセージを的確に第２の携帯端末へ伝達できる。
この場合、第１の携帯端末を、メッセージを受信する第２の携帯端末のキャリアに応じて複数設けるとともに、主装置は第２の携帯端末にメッセージを送信する場合はこの第２の携帯端末のキャリアと同一のキャリアの第１の携帯端末を選択して発信するようにしたので、第２の携帯端末へメッセージを送信する場合に発信時の誤操作が同様に防止され、メッセージを的確に第２の携帯端末へ伝達できる。
ここで、主装置はメッセージが登録される第１のエリア及び第２の携帯端末の電話番号と第２の携帯端末のキャリアとが関連づけて登録される第２のエリアを有するメモリを備え、収容したボタン電話機がメモリに登録された第２の携帯端末の番号の発信操作を行うと、検出手段は複数の第１の携帯端末のうち第２の携帯端末のキャリアと同一キャリアの端末の空きを検出し、検出手段の空き検出の有無に応じた経路を介して自動的に第２の携帯端末へ発信しメモリのメッセージを送信するようにしたので、第２の携帯端末に対する発信操作が簡略化され、したがって第２の携帯端末への発信時の誤操作を防止できる。
また、第１の携帯端末の空きが検出されない場合は、第２の携帯端末のキャリアが第１ないし第３のキャリアのうちの何れかのキャリアのときにはそれぞれ固有のアクセス番号を発信してから第２の携帯端末の電話番号を発信し、第２の携帯端末のキャリアが第４のキャリアのときには発信を停止するようにしたので、第２の携帯端末とキャリアが異なる第１の携帯端末または外線を経由して発信する場合でも自動的にアクセス番号が付加されて発信されるため、第２の携帯端末に対する発信操作が簡単になると共に、確実な発信が可能になる。
また、第２の携帯端末に発信しメッセージを送信したときに発信操作に基づく第２の携帯端末の電話番号と発信操作を行ったボタン電話機の識別番号とを関連づけて発信履歴情報として登録すると共に、第２の携帯端末からのメッセージ受信時に第２の携帯端末の電話番号を示す発信者番号を検出するとこの発信者番号が発信履歴情報に含まれている場合は対応のボタン電話機に受信メッセージを伝達するようにしたので、第２の携帯端末の送信メッセージを該当ボタン電話機に的確に伝達できる。
また、第２の携帯端末の送信メッセージを受信するとこの送信メッセージを蓄積してメッセージ受信通知を行うメッセージセンタを備え、メッセージ受信通知の受信時に受信した発信者番号が発信履歴情報に含まれている場合はこの発信履歴情報に対応するボタン電話機に送信メッセージの受信を通知すると共に、メッセージセンタに発信してメッセージセンタの蓄積メッセージをボタン電話機に送信するようにしたので、同様に第２の携帯端末の送信メッセージを該当ボタン電話機に的確に伝達できる。
【図面の簡単な説明】
【図１】本発明に係るボタン電話システムの要部構成を示すブロック図である。
【図２】上記ボタン電話システムの概略構成を示すブロック図である。
【図３】ボタン電話システム内の主装置のメッセージ送信動作を示すフローチャートである。
【図４】主装置のメッセージ送信動作を示すフローチャートである。
【図５】主装置のメッセージ受信動作を示すフローチャートである。
【符号の説明】
１…ボタン電話装置、２…主装置、２Ａ…内線インタフェース、２Ｂ…外線インタフェース、２Ｃ…スイッチ、２Ｄ，４４…制御部、２Ｅ…メモリ、３Ａ〜３Ｃ…ボタン電話機、４…インタフェースボックス、５Ａ〜５Ｎ…内部携帯端末（第１の携帯端末）、４１…伝送回路、４２Ａ〜４２Ｎ…携帯端末インタフェース、７０…外部携帯端末（第２の携帯端末）、５０，６０…交換機、６１，６２…基地局、６３…メッセージセンタ、Ｌｍ…外線。
【図１】
0003596346.tif 000002
【図２】
0003596346.tif 000003
【図３】
0003596346.tif 000004
【図４】
0003596346.tif 000005
【図５】
0003596346.tif 000006